(57)【特許請求の範囲】
【請求項１】
無線ウェアラブルセンサ装置であって、
信号処理タスクを実装するためのコンピューティングエンジンを備える信号処理デバイスを備える、センサプラットフォームであって、そこに連結された少なくとも１つのセンサから信号を受信するように構成される、センサプラットフォームと、
データを記憶するように構成されるメモリと、
前記センサプラットフォームに連結される無線通信回路であって、無線デバイスと通信し、そこに前記データを転送するように構成されるリンクマスタコントローラを備える、無線通信回路と、
を備え、
前記リンクマスタコントローラは、前記メモリに記憶された前記データに関する情報を前記無線デバイスに送信するように構成され、
前記信号処理デバイスの少なくとも一部は、最適化された計算のためのプログラマブル信号処理機能および実行ユニットを備える、無線ウェアラブルセンサ装置。
【請求項２】
無線ウェアラブルセンサ装置であって、
高効率信号処理タスクを実装するためのコンピューティングエンジンを備える信号処理デバイスおよびプロセッサを備える、センサプラットフォームであって、前記プロセッサは、そこに連結された少なくとも１つのセンサから信号を受信するように構成される、センサプラットフォームと、
前記センサプラットフォームに連結される無線通信回路であって、無線デバイスと通信し、そこにデータを転送するように構成されるリンクマスタコントローラを備える、無線通信回路と、
を備え、
前記信号処理デバイスは、前記プロセッサとのインターフェースを備える、無線ウェアラブルセンサ装置。
【請求項３】
前記インターフェースは、
少なくとも１つの先入れ先出し（ＦＩＦＯ）レジスタと、
二重ポートメモリと、
直接、プロセッサメモリにアクセスする、直接メモリアクセス（ＤＭＡ）エンジンと、
を備える、請求項２に記載の無線ウェアラブルセンサ装置。
【請求項４】
前記インターフェースは、競合認識または回避を備える、請求項２に記載の無線ウェアラブルセンサ装置。
【請求項５】
無線ウェアラブルセンサ装置であって、
信号処理タスクを実装するためのコンピューティングエンジンを備える信号処理デバイスを備える、センサプラットフォームであって、そこに連結された少なくとも１つのセンサから信号を受信するように構成される、センサプラットフォームと、
前記センサプラットフォームに連結される無線通信回路であって、無線デバイスと通信し、そこにデータを転送するように構成されるリンクマスタコントローラを備える、無線通信回路と、
前記センサプラットフォームに連結される電子機器インターフェースモジュールと、
前記センサプラットフォームに連結されるセンサインターフェースと、
前記センサインターフェースに連結されるフレックス回路と、
前記フレックス回路に連結される１つ以上のセンサと、
を備える、無線ウェアラブルセンサ装置。
【請求項６】
無線ウェアラブルセンサ装置であって、
信号処理タスクを実装するためのコンピューティングエンジンを備える信号処理デバイスを備える、センサプラットフォームであって、そこに連結された少なくとも１つのセンサから信号を受信するように構成される、センサプラットフォームと、
前記センサプラットフォームに連結される無線通信回路であって、リンクを確立し、無線デバイスと通信し、そこにデータを転送するように構成される、リンクマスタコントローラを備える、無線通信回路と、
前記センサプラットフォームに連結される加速度計と、
リサンプリング周波数補正プロセッサと
を備える、無線ウェアラブルセンサ装置。
【請求項７】
前記リサンプリング周波数補正プロセッサは、前記加速度計内に提供される、請求項６に記載の無線ウェアラブルセンサ装置。
【請求項８】
前記リサンプリング周波数補正プロセッサは、前記信号処理デバイス内に提供される、請求項６に記載の無線ウェアラブルセンサ装置。
【請求項９】
前記リサンプリング周波数補正プロセッサは、
参照クロックと、
固定アップサンプルブロックと、
デジタルフィルタと、
プログラマブルダウンサンプルブロックと、
加速度計信号および前記参照クロックのタイミングの比較に基づいて、ダウンサンプル係数を選択する、制御回路と、
を備える、請求項６に記載の無線ウェアラブルセンサ装置。
【請求項１０】
前記リサンプリング周波数補正プロセッサは、スライディングウィンドウ内において参照クロックと同期し、精密なサンプリングレートを生成するように構成される、請求項６に記載の無線ウェアラブルセンサ装置。
【請求項１１】
前記リサンプリング周波数補正プロセッサは、前記加速度計信号からのデータのフレーム毎に、前記ダウンサンプリング係数を設定するように構成される、請求項６に記載の無線ウェアラブルセンサ装置。
【請求項１２】
前記リサンプリング周波数補正プロセッサは、加速度計タイミング信号を継続的に追跡し、いかなる累積タイミングエラーも最小限にするように、前記ダウンサンプリング係数を選択するように構成される、請求項６に記載の無線ウェアラブルセンサ装置。
【請求項１３】
無線ウェアラブルセンサ装置であって、
センサプラットフォームであって、
高効率信号処理タスクを実装するためのコンピューティングエンジンを備える信号処理デバイスと、
そこに連結された少なくとも１つのセンサから信号を受信するように構成される、プロセッサと、
を備える、センサプラットフォームと、
前記センサプラットフォームに連結される無線通信回路であって、リンクを確立し、無線デバイスと通信し、そこにデータを転送するように構成される、リンクマスタコントローラを備える、無線通信回路と、
前記センサプラットフォームに連結されるメモリと、
を備え、
前記プロセッサは、低電力低メモリデータ記憶と、センサデータが、それぞれ、タイプ識別子を伴う記録として記憶される、転送方式とを採用する、無線ウェアラブルセンサ装置。
【請求項１４】
前記データ記録は、前記無線通信回路によって、前記データ記録を前記メモリ内に記憶するために使用される同一のフォーマットであるフォーマットにおけるパケットペイロードとして、外部デバイスに転送される、請求項１３に記載の無線ウェアラブルセンサ装置。
【請求項１５】
前記データ記録は、前記メモリ内の空間使用を最適化するための可変長を伴って、前記メモリ内に連続的に記憶される、請求項１３に記載の無線ウェアラブルセンサ装置。
【請求項１６】
前記メモリ内に記憶された前記データ記録への高速読取アクセスを可能にする、データディレクトリを備える、請求項１３に記載の無線ウェアラブルセンサ装置。
【請求項１７】
前記データディレクトリは、タイプ別の前記データ記録の高速カウンティングを可能にする、請求項１６に記載の無線ウェアラブルセンサ装置。
【請求項１８】
前記メモリ内に記憶された各データ記録は、データ記録破損を検出するためのエラー検出コードを備える、請求項１３に記載の無線ウェアラブルセンサ装置。
【請求項１９】
無線ウェアラブルセンサ装置であって、
センサプラットフォームであって、
高効率信号処理タスクを実装するためのコンピューティングエンジンを備える信号処理デバイスと、
そこに連結された少なくとも１つのセンサから信号を受信するように構成される、プロセッサと、
を備える、センサプラットフォームと、
前記センサプラットフォームに連結される無線通信回路であって、リンクを確立し、無線デバイスと通信し、そこにデータを転送するように構成される、リンクマスタコントローラを備える、無線通信回路と、
前記センサプラットフォームに連結されるメモリと、
を備え、
前記メモリは、前記データを記憶するように構成され、
前記リンクマスタコントローラは、前記メモリに記憶された前記データに関する情報を前記無線デバイスに送信するように構成され、
前記プロセッサは、高信頼保全性データ記憶および転送方式を採用する、無線ウェアラブルセンサ装置。
【請求項２０】
前記プロセッサが、前記無線通信回路による外部デバイスへのデータパケット転送に先立って、前記メモリからデータ記録を読み取るとき、前記エラー検出コードが、前記プロセッサによってチェックされる、請求項１８に記載の無線ウェアラブルセンサ装置。
【請求項２１】
前記プロセッサが、前記記憶されたデータ記録の破損を検出すると、エラー信号が、外部デバイスに送信される、請求項１３に記載の無線ウェアラブルセンサ装置。
【請求項２２】
前記無線通信回路から前記外部デバイスに転送された各パケットは、パケット破損を検出するために前記外部デバイスによって使用されるエラー検出を含有する、請求項２０に記載の無線ウェアラブルセンサ装置。
【発明の詳細な説明】
【技術分野】
【０００１】
（関連出願の引用）
Ｕ．Ｓ．Ｃ．§１１９（ｅ）にしたがい、本願は、２０１２年９月２１日に出願された、米国仮特許出願第６１／７０４，１５６号の出願日に対する優先権を主張するものであり、その開示は、参照により本明細書中に援用される。
【背景技術】
【０００２】
本開示は、概して、無線ウェアラブル装置、システム、および方法に関する。より具体的には、本開示は、少なくとも１つのパラメータを監視し、少なくとも１つの監視されるパラメータを通信デバイスに無線で通信するように構成される、無線ウェアラブルセンサに関する。通信デバイスは、ネットワークを経由して、少なくとも１つの監視されるパラメータを遠隔デバイスに通信するように構成される。少なくとも１つの監視されるパラメータは、他の生理学的および物理的パラメータの中でもとりわけ、限定ではないが、皮膚インピーダンス、心電図信号、伝導伝送電流信号、装着者の位置、温度、心拍数、呼吸数、湿度、高度／圧力、全地球測位システム（ＧＰＳ）、接近度、細菌レベル、グルコースレベル、化学マーカー、血液酸素レベルを含んでもよい。
【発明の概要】
【課題を解決するための手段】
【０００３】
一側面では、無線ウェアラブルセンサ装置が、提供される。無線ウェアラブルセンサ装置は、信号処理タスクを実装するためのコンピューティングエンジンを備える信号処理デバイスを備える、センサプラットフォームを備える。センサプラットフォームは、そこに連結された少なくとも１つのセンサから信号を受信するように構成される。無線通信回路は、センサプラットフォームに連結される。無線通信回路は、リンクを確立し、無線デバイスと通信し、そこにデータを転送するためのリンクマスタコントローラを備える。一側面では、リンクマスタコントローラは、無線デバイスと確立された通信リンクを経由したデータ伝送を制御するように構成され、タイミング制御および周波数制御を備える。
【図面の簡単な説明】
【０００４】
本明細書に説明される実施形態の新規特徴は、添付の請求項に詳細に記載される。しかしながら、種々の側面は、編成および動作方法の両方に関して、以下の付随の図面と関連して検討される以下の説明を参照することによって、より理解され得る。
【図１】図１は、無線ウェアラブルモジュールの一側面の斜視図である。
【図２】図２は、図１に示される無線ウェアラブルモジュールの一側面の上面図である。
【図３】図３は、図１に示される無線ウェアラブルモジュールの一側面の側面図である。
【図４】図４は、図１に示される無線ウェアラブルモジュールの一側面の別の側面図である。
【図５】図５は、図１に示される無線ウェアラブルモジュールの一側面の底面図である。
【図６】図６は、図１に示される無線ウェアラブルモジュールの一側面の分解図である。
【図７】図７は、図１に示される無線ウェアラブルモジュールの一側面の別の分解図である。
【図８】図８は、図１に示される無線ウェアラブルモジュールの一側面の詳細図である。
【図９】図９は、図８に示される無線ウェアラブルモジュールの図の一側面の詳細図である。
【図１０】図１０は、図１に示される無線ウェアラブルモジュールの一側面の上面図である。
【図１１】図１１は、図１０に示される無線ウェアラブルモジュールの図の一側面の詳細図である。
【図１２】図１２は、無線ウェアラブルセンサの一側面の電子モジュールを示す、システム略図である。
【図１３】図１３は、外部デバイスと通信する無線ウェアラブルセンサを備える、通信システムの略図である。
【発明を実施するための形態】
【０００５】
無線ウェアラブル装置、システム、および方法の種々の実施形態を詳細に説明する前に、本明細書に開示される種々の実施形態は、その用途または使用において、付随の図面および説明に図示される部品の構造および配列の使用に限定されないことに留意されたい。むしろ、開示される実施形態は、他の実施形態、その変形例、および修正例に位置付けられる、または組み込まれてもよく、種々の方法で実践または実施されてもよい。故に、本明細書に開示される無線ウェアラブル装置、システム、および方法の実施形態は、性質上、例証的であって、その範囲または用途を限定することを意味するものではない。さらに、別様に示されない限り、本明細書で採用される用語および表現は、読者の便宜上、実施形態を説明する目的のために選定されたものであって、その範囲を限定するものではない。加えて、開示される実施形態、その実施形態の表現、および／または実施例のうちの任意の１つ以上は、限定ではないが、他の開示される実施形態、その実施形態の表現、および／または実施例のうちの任意の１つ以上と組み合わせられることができることを理解されたい。
【０００６】
以下の説明では、同様の参照文字は、いくつかの図全体を通して、類似または対応する部品を指定する。また、以下の説明では、正面、背面、内側、外側、上部、底部、および同等物等の用語は、便宜上の用語であって、限定語として解釈されるべきではないことを理解されたい。本明細書で使用される専門用語は、本明細書に説明されるデバイスまたはその一部が、他の配向において取り付けられる、または利用され得る限り、限定を意味するものではない。種々の実施形態が、図面を参照してより詳細に説明される。
【０００７】
本開示は、概して、無線ウェアラブルモジュールの装着者と関連付けられた少なくとも１つの生理学的および／または物理的パラメータを監視するため、かつ監視されるパラメータを通信デバイスに通信するための無線ウェアラブル装置、システム、および方法の種々の側面を対象とする。通信デバイスは、ネットワークを経由して、監視されるパラメータを遠隔で通信するように構成される。
【０００８】
図１−１１は、無線ウェアラブルデバイスの無線ウェアラブルモジュール１００部分の一側面の種々の図を図示する。一側面では、無線ウェアラブルモジュール１００は、人または他の生物学的生命体等の対象に可撤性に取付可能である。無線ウェアラブルモジュール１００は、対象と関連付けられた生理学的および／または物理的パラメータのうちの少なくとも１つを監視するように構成される。
【０００９】
一側面では、無線ウェアラブルモジュール１００は、無線ウェアラブルモジュール１００のためにカスタマイズされた単一低電力特定用途向け集積回路（ＡＳＩＣ）内に、アナログフロントエンド、ベクトル／デジタル信号処理、マイクロプロセッサ、およびメモリの種々の組み合わせを備える。「ＡＳＩＣベースのセンサプラットフォーム」は、限定ではないが、Ｐｒｏｔｅｕｓ  Ｄｉｇｉｔａｌ  Ｈｅａｌｔｈ（Ｒｅｄｗｏｏｄ  Ｃｉｔｙ，  ＣＡ）製Ｉｎｇｅｓｔｉｂｌｅ  Ｅｖｅｎｔ  Ｍａｒｋｅｒ（ＩＥＭ）によって生成されるもの等の伝導伝送電流信号の検出のためのソフトウェア定義無線、心電図（ＥＣＧ）の感知および処理、ＡＣ皮膚インピーダンス測定、温度測定、ガルバニック皮膚応答（ＧＳＲ）測定として知られる直流（ＤＣ）皮膚インピーダンス、および他の生物学的／医療データセンサを含む、複数の機能を実装する。以下の段落で説明される種々の米国および国際特許および特許公報は、伝導伝送電流信号を生成するデバイスおよびそのような伝導伝送電流信号を検出するように構成される受信機について説明しており、参照することによって、その全体として本明細書に組み込まれる。
【００１０】
Ｌｏｗ  Ｖｏｌｔａｇｅ  Ｏｓｃｉｌｌａｔｏｒ  ｆｏｒ  Ｍｅｄｉｃａｌ  Ｄｅｖｉｃｅｓと題された出願（国際公報第ＷＯ  ２００８／０６６６１７号および対応する米国出願公報第ＵＳ  ２０１０−０２１４０３３号）、Ａｃｏｕｓｔｉｃ  Ｐｈａｒｍａ−Ｉｎｆｏｒｍａｔｉｃｓ  Ｓｙｓｔｅｍと題された出願（公報第ＵＳ  ２００８−００２００３７号）、Ｉｎｇｅｓｔｉｂｌｅ  Ｃｉｒｃｕｉｔｒｙと題された出願（国際公報第ＷＯ  ２０１０／０１９７７８号および対応する米国出願公報第ＵＳ  ２０１０−０２９８６６８号）、Ｉｄｅｎｔｉｆｉｅｒ  Ｃｉｒｃｕｉｔｓ  ｆｏｒ  Ｇｅｎｅｒａｔｉｎｇ  Ｕｎｉｑｕｅ  Ｉｄｅｎｔｉｆｉａｂｌｅ  Ｉｎｄｉｃａｔｏｒｓ  ａｎｄ  Ｔｅｃｈｎｉｑｕｅｓ  ｆｏｒ  Ｐｒｏｄｕｃｉｎｇ  Ｓａｍｅと題された出願（国際公報第ＷＯ／２０１０／０５７０４９号および対応する米国出願公報第ＵＳ  ２０１０−０３１２２２８号）、Ｉｎ−Ｂｏｄｙ  Ｐｏｗｅｒ  Ｓｏｕｒｃｅ  Ｈａｖｉｎｇ  Ｈｉｇｈ  Ｓｕｒｆａｃｅ  Ａｒｅａ  Ｅｌｅｃｔｒｏｄｅと題された出願（国際公報第ＷＯ  ２００８／１０１１０７号および対応する米国出願公報第ＵＳ  ２０１０−００６９７１７号）、Ｓｏｌｉｄ−Ｓｔａｔｅ  Ｔｈｉｎ−Ｆｉｌｍ  Ｃａｐａｃｉｔｏｒと題された出願（国際公報第ＷＯ  ２０１１／０１１７３６号および対応する米国出願公報第ＵＳ  ２０１２−００１８８４４号）、Ｃｏｎｔｒｏｌｌｅｄ  Ａｃｔｉｖａｔｉｏｎ  Ｉｎｇｅｓｔｉｂｌｅ  Ｉｄｅｎｔｉｆｉｅｒと題された出願（国際公報第ＷＯ／２００８／０５２１３６号および対応する米国出願公報第ＵＳ  ２０１０−０２３９６１６号）、Ｉｎ−Ｂｏｄｙ  Ｄｅｖｉｃｅ  Ｗｉｔｈ  Ｖｉｒｔｕａｌ  Ｄｉｐｏｌｅ  Ｓｉｇｎａｌ  Ａｍｐｌｉｆｉｃａｔｉｏｎと題された出願（国際公報第ＷＯ／２００９／０４２８１２号および対応する米国出願公報第ＵＳ  ２００９−００８２６４５号）、Ｍｕｌｔｉ−Ｍｏｄｅ  Ｃｏｍｍｕｎｉｃａｔｉｏｎ  Ｉｎｇｅｓｔｉｂｌｅ  Ｅｖｅｎｔ  Ｍａｒｋｅｒｓ  ａｎｄ  Ｍｅｔｈｏｄｓ  ｏｆ  Ｕｓｉｎｇ  ｔｈｅ  Ｓａｍｅと題された出願（国際公報第ＷＯ  ２００９／１１１６６４号および対応する米国出願公報第ＵＳ  ２００９−０２５６７０２号）、Ｉｎ−Ｂｏｄｙ  Ｄｅｖｉｃｅ  Ｈａｖｉｎｇ  ａ  Ｍｕｌｔｉ−Ｄｉｒｅｃｔｉｏｎａｌ  Ｔｒａｎｓｍｉｔｔｅｒと題された出願（国際公報第ＷＯ  ２００８／１１２５７７号および対応する米国出願公報第ＵＳ  ２０１０−００２２８３６号）、Ｉｎ−Ｂｏｄｙ  Ｄｅｖｉｃｅ  Ｈａｖｉｎｇ  Ｄｅｐｌｏｙａｂｌｅ  Ａｎｔｅｎｎａと題された出願（国際公報第ＷＯ  ２００８／１１２５７８号および対応する米国出願公報第ＵＳ  ２０１１−０２５７４９１号）、Ｌｏｗ  Ｐｒｏｆｉｌｅ  Ａｎｔｅｎｎａ  ｆｏｒ  Ｉｎ−Ｂｏｄｙ  Ｄｅｖｉｃｅと題された出願（公報第ＵＳ  ２００８−０３０６３６０号）、ＲＦＩＤ  Ａｎｔｅｎｎａ  ｆｏｒ  Ｉｎ−Ｂｏｄｙ  Ｄｅｖｉｃｅと題された出願（公報第ＵＳ  ２００８−０３１６０２０号）、Ｐｈａｒｍａ−Ｉｎｆｏｒｍａｔｉｃｓ  Ｓｙｓｔｅｍと題された出願（国際公報第ＷＯ  ２００６／１１６７１８号および対応する米国出願公報第ＵＳ  ２００８−０２８４５９９号）、Ｃｏ���ｍｕｎｉｃａｔｉｏｎ  Ｓｙｓｔｅｍ  ｗｉｔｈ  ａ  Ｐａｒｔｉａｌ  Ｐｏｗｅｒ  Ｓｏｕｒｃｅと題された出願（公報第ＵＳ  ２０１０−００８１８９４号、現米国特許第７，９７８，０６４号）、Ｃｏｍｍｕｎｉｃａｔｉｏｎ  Ｓｙｓｔｅｍ  ｗｉｔｈ  Ｒｅｍｏｔｅ  Ａｃｔｉｖａｔｉｏｎと題された出願（米国出願公報第ＵＳ  ２０１２−０００７７３４号）、Ｃｏｍｍｕｎｉｃａｔｉｏｎ  Ｓｙｓｔｅｍ  ｗｉｔｈ  Ｍｕｌｔｉｐｌｅ  Ｓｏｕｒｃｅｓ  ｏｆ  Ｐｏｗｅｒと題された出願（米国出願公報第ＵＳ  ２０１２−０００４５２０号）、Ｃｏｍｍｕｎｉｃａｔｉｏｎ  Ｓｙｓｔｅｍ  Ｕｓｉｎｇ  ａｎ  Ｉｍｐｌａｎｔａｂｌｅ  Ｄｅｖｉｃｅと題された出願（米国出願公報第ＵＳ  ２０１２−  ０００４５２７号）、Ｃｏｍｍｕｎｉｃａｔｉｏｎ  Ｓｙｓｔｅｍ  ｗｉｔｈ  Ｅｎｈａｎｃｅｄ  Ｐａｒｔｉａｌ  Ｐｏｗｅｒ  ａｎｄ  Ｍｅｔｈｏｄ  ｏｆ  Ｍａｎｕｆａｃｔｕｒｉｎｇ  Ｓａｍｅと題された出願（米国出願公報第ＵＳ  ２０１２−  ０１１６１８８号）、Ｐｏｌｙｐｈａｒｍａｃｙ  Ｃｏ−Ｐａｃｋａｇｅｄ  Ｍｅｄｉｃａｔｉｏｎ  Ｄｏｓｉｎｇ  Ｕｎｉｔ  Ｉｎｃｌｕｄｉｎｇ  Ｃｏｍｍｕｎｉｃａｔｉｏｎ  Ｓｙｓｔｅｍ  Ｔｈｅｒｅｆｏｒと題された出願（米国出願公報第ＵＳ  ２０１２−００２４８８９号）、Ｃｏｍｍｕｎｉｃａｔｉｏｎ  Ｓｙｓｔｅｍ  Ｉｎｃｏｒｐｏｒａｔｅｄ  ｉｎ  ａｎ  Ｉｎｇｅｓｔｉｂｌｅ  Ｐｒｏｄｕｃｔと題された出願（米国出願公報第ＵＳ  ２０１２−００６２３７９号）、Ｃｏｍｍｕｎｉｃａｔｉｏｎ  Ｓｙｓｔｅｍ  Ｉｎｃｏｒｐｏｒａｔｅｄ  ｉｎ  ａ  Ｃｏｎｔａｉｎｅｒと題された出願（２０１１年１１月２３日に出願された米国出願第１３／３０４，２７４号）、Ｈｉｇｈｌｙ  Ｒｅｌｉａｂｌｅ  Ｉｎｇｅｓｔｉｂｌｅ  Ｅｖｅｎｔ  Ｍａｒｋｅｒｓ  ａｎｄ  Ｍｅｔｈｏｄｓ  ｆｏｒ  ｕｓｉｎｇ  ｔｈｅ  Ｓａｍｅと題された出願（国際公報第ＷＯ  ２０１０／１２９２８８号および対応する米国出願公報第ＵＳ  ２０１１−００５４２６５号）、Ｍｉｎｉａｔｕｒｅ  Ｉｎｇｅｓｔｉｂｌｅ  Ｄｅｖｉｃｅと題された出願（国際公報第ＷＯ  ２０１１／１２７２５２号）、Ｉｎｇｅｓｔｉｂｌｅ  Ｄｅｖｉｃｅ  ｗｉｔｈ  Ｐｈａｒｍａｃｅｕｔｉｃａｌ  Ｐｒｏｄｕｃｔと題された出願（国際公報第ＷＯ／２０１２／０７１２８０号）、Ｗｉｒｅｌｅｓｓ  Ｅｎｅｒｇｙ  Ｓｏｕｒｃｅｓ  ｆｏｒ  Ｉｎｔｅｇｒａｔｅｄ  Ｃｉｒｃｕｉｔｓと題された出願（国際公報第ＷＯ／２０１２／０９２２０９号）、Ｐｈａｒｍａｃｅｕｔｉｃａｌ  Ｄｏｓａｇｅｓ  Ｄｅｌｉｖｅｒｙ  Ｓｙｓｔｅｍと題された出願（国際公報第ＷＯ  ２０１０／０８０７６４号および対応する米国出願公報第ＵＳ  ２０１１−０３０６８５２号）、Ｈｉｇｈ−Ｔｈｒｏｕｇｈｐｕｔ  Ｐｒｏｄｕｃｔｉｏｎ  ｏｆ  Ｉｎｇｅｓｔｉｂｌｅ  Ｅｖｅｎｔ  Ｍａｒｋｅｒｓと題された出願（国際公報第ＷＯ  ２０１０−０８０７６５号および対応する米国出願公報第ＵＳ  ２０１２−００１１６９９号）、Ｉｎｇｅｓｔｉｂｌｅ  Ｅｖｅｎｔ  Ｍａｒｋｅｒｓ  Ｃｏｍｐｒｉｓｉｎｇ  ａｎ  Ｉｎｇｅｓｔｉｂｌｅ  Ｃｏｍｐｏｎｅｎｔと題された出願（国際公報第ＷＯ  ２０１０−１３２３３１号および対応する米国���願公報第ＵＳ  ２０１２−００１１６９９号）、Ｓｙｓｔｅｍ  ｆｏｒ  Ｓｕｐｐｌｙ  Ｃｈａｉｎ  Ｍａｎａｇｅｍｅｎｔと題された出願（国際公報第ＷＯ  ２０１１−０５７０２４号および対応する米国出願公報第ＵＳ  ２０１２−０２２００８３８号）、Ｉｎｔｅｇｒａｔｅｄ  Ｉｎｇｅｓｔｉｂｌｅ  Ｅｖｅｎｔ  Ｍａｒｋｅｒ  Ｓｙｓｔｅｍ  ｗｉｔｈ  Ｐｈａｒｍａｃｅｕｔｉｃａｌ  Ｐｒｏｄｕｃｔと題された出願（国際公報第ＷＯ  ２０１１−０６８９６３号および対応する米国出願公報第ＵＳ  ２０１２−０１１６３５９号）、Ｃｏｍｐｏｓｉｔｉｏｎｓ  Ｃｏｍｐｒｉｓｉｎｇ  ａ  Ｓｈｅｌｆ−Ｌｉｆｅ  Ｓｔａｂｉｌｉｔｙ  Ｃｏｍｐｏｎｅｎｔと題された出願（２０１１年１１月２３日に出願された米国出願第１３／３０４，２６０号）。
【００１１】
Ｂｏｄｙ−Ａｓｓｏｃｉａｔｅｄ  Ｒｅｃｅｉｖｅｒ  ａｎｄ  Ｍｅｔｈｏｄと題された出願（国際公報第  ＷＯ  ２０１０／０７５１１５号および対応する米国出願公報第ＵＳ  ２０１０−０３１２１８８号、現米国特許第８，１１４，０２１号、Ａｐｐａｒａｔｕｓ  ａｎｄ  Ｍｅｔｈｏｄ  ｆｏｒ  ｍｅａｓｕｒｉｎｇ  Ｂｉｏ−Ｃｈｅｍｉｃａｌ  Ｐａｒａｍｅｔｅｒｓと題された出願（国際公報第ＷＯ  ２０１１−０２２７３２号および対応する米国出願公報第ＵＳ  ２０１２−０１４６６７０号）、Ｅｖａｌｕａｔｉｏｎ  ｏｆ  Ｇａｓｔｒｏｉｎｔｅｓｔｉｎａｌ  Ｆｕｎｃｔｉｏｎ  Ｕｓｉｎｇ  Ｐｏｒｔａｂｌｅ  Ｅｌｅｃｔｒｏｖｉｓｃｅｒｏｇｒａｐｈｙ  Ｓｙｓｔｅｍｓ  ａｎｄ  Ｍｅｔｈｏｄｓ  ｏｆ  Ｕｓｉｎｇ  ｔｈｅ  Ｓａｍｅと題された出願（国際公報第２０１０／０６８８１８号および対応する米国出願公報第ＵＳ  ２０１１−００４０２０３号、現米国特許第８，０５５，３３４号）、Ｔｗｏ−Ｗｒｉｓｔ  Ｄａｔａ−Ｇａｔｈｅｒｉｎｇ  Ｓｙｓｔｅｍと題された出願（国際公報第ＷＯ  ２０１１−０９４６０８号および対応する米国出願公報第ＵＳ  ２０１２−００２２３４１号）、Ｗｒｉｓｔ  Ｄａｔａ−Ｇａｔｈｅｒｉｎｇ  Ｓｙｓｔｅｍと題された出願（国際公報第ＷＯ  ２０１１−０９４６０６号および対応する米国出願公報第ＵＳ  ２０１２−０１１６２０１号）、Ｗｅａｒａｂｌｅ  Ｐｅｒｓｏｎａｌ  Ｃｏｍｍｕｎｉｃａｔｏｒ  Ａｐｐａｒａｔｕｓ，  Ｓｙｓｔｅｍ，  ａｎｄ  Ｍｅｔｈｏｄと題された出願（米国出願公報第ＷＯ  ２０１２／１１２５６１号）、Ｂｉｏｌｏｇｉｃａｌ  Ｓａｍｐｌｅ  Ｃｏｌｌｅｃｔｉｏｎ  Ｄｅｖｉｃｅ  ａｎｄ  Ｓｙｓｔｅｍと題された出願（２０１２年３月８日に出願された米国出願第ＰＣＴ／ＵＳ１２／０２８３４２号）、Ｗｅａｒａｂｌｅ  Ｐｅｒｓｏｎａｌ  Ｂｏｄｙ  Ａｓｓｏｃｉａｔｅｄ  Ｄｅｖｉｃｅ  ｗｉｔｈ  Ｖａｒｉｏｕｓ  Ｐｈｙｓｉｃａｌ  Ｃｏｎｆｉｇｕｒａｔｉｏｎｓと題された出願（２０１２年３月８日に出願された米国出願第ＰＣＴ／ＵＳ１２／０２８３４３号）、Ｂｏｄｙ  Ａｓｓｏｃｉａｔｅｄ  Ｄｅｖｉｃｅ  ａｎｄ  Ｍｅｔｈｏｄ  ｏｆ  Ｍａｋｉｎｇ  Ｓａｍｅと題された出願（２０１２年４月２７日に出願された米国出願第ＰＣＴ／ＵＳ１２／０３５６５０号）、Ｍｏｂｉｌｅ  Ｃｏｍｍｕｎｉｃａｔｉｏｎ  Ｄｅｖｉｃｅ，  Ｓｙｓｔｅｍ  ａｎｄ  Ｍｅｔｈｏｄと題された出願（２０１２年７月１７日に出願された米国出願第ＰＣＴ／ＵＳ１２／０４７０７６号）、Ｔｒａｎｓｂｏｄｙ  Ｃｏｍｍｕｎｉｃａｔｉｏｎ  Ｓｙｓｔｅｍｓ  Ｅｍｐｌｏｙｉｎｇ  Ｃｏｍｍｕｎｉｃａｔｉｏｎｓ  Ｃｈａｎｎｅｌｓと題された出願（国際公報第ＷＯ  ２００９／０７０７７３号および対応する米国出願公報第ＵＳ  ２００９−０１３５８８６号）、Ａｃｔｉｖｅ  Ｓｉｇｎａｌ  Ｐｒｏｃｅｓｓｉｎｇ  Ｐｅｒｓｏｎａｌ  Ｈｅａｌｔｈ  Ｓｉｇｎａｌ  Ｒｅｃｅｉｖｅｒｓと題された出願（国際公報第ＷＯ  ２００８／０６３６２６号および対応する米国出願公報第ＵＳ  ２０１０−０３１６１５８号）、およびＭｅｔｈｏｄ  ａｎｄ  Ｓｙｓｔｅｍ  ｆｏｒ  Ｉｎｃｏｒｐｏｒａｔｉｎｇ  Ｐｈｙｓｉｏｌｏｇｉｃ  Ｄａｔａ  ｉｎ  ａ  Ｇａ��ｉｎｇ  Ｅｎｖｉｒｏｎｍｅｎｔと題された出願（国際公報第ＷＯ  ２０１０／０４５３８５号および対応する米国出願公報第ＵＳ  ２０１１−０２１２７８２号）。
【００１２】
一側面では、無線ウェアラブルモジュール１００は、他の無線デバイス（とりわけ、携帯電話、スマートフォン、タブレットコンピュータ、ラップトップコンピュータ、ゲートウェイデバイス）に接続するために、ＡＳＩＣベースのセンサプラットフォームと低電力無線通信回路の組み合わせを備える。
【００１３】
一側面では、無線ウェアラブルモジュール１００は、正常伝送の確認とともに、データ記録伝送を用いて、低バッテリ電力使用を提供する。無線ウェアラブルモジュールの本および他の側面は、図１２および１３に関連して以下に説明される。
【００１４】
依然として、図１−１１を参照すると、一般的側面では、無線ウェアラブルモジュール１００は、多機能デバイスである。一側面では、無線ウェアラブルモジュール１００は、ユーザの身体内に位置する電子デバイスと関連付けられた情報またはデータを検出およびデコードし、ユーザに関する生理学的データを測定し、第３の、すなわち、外部デバイスにデータを伝送することができる。無線ウェアラブルモジュール１００は、バッテリ給電される。一側面では、バッテリは、再充電可能であってもよい。無線ウェアラブルモジュール１００は、１つ以上の入力手段１０６（プッシュボタン、タップ検出）ならびにインジケータ手段１０８、１１０（発光ダイオード）を含む、ユーザインターフェースを備える。加えて、第３の、すなわち、外部デバイスは、ユーザインターフェース機能の一部または全部を実装してもよい。
【００１５】
無線ウェアラブルモジュール１００は、ユーザの身体と関連付けられた情報またはデータを検出するために、複数の電極１０４ａ、１０４ｂ、またはそれ以上を備える。一側面では、電極１０４ａ、１０４ｂは、例えば、ヒドロゲル等のゲルの形態における湿潤電極である。一側面では、２つの１０４ａ、１０４ｂまたは３つの電極が存在し、それぞれ、対象の身体と接触する。代替側面では、電極１０４ａ、１０４ｂは、乾燥電極タイプであってもよい。乾燥電極は、身体と接触して、またはそれに近接して（おそらく、衣類の層によって分離される）動作し、身体への接触は、容量のみ、または容量および抵抗接触の組み合わせ（湿潤電極と同様に）のいずれかであってもよい。第３の側面では、乾燥および湿潤電極は両方とも、異なるデータセットのために存在してもよい。
【００１６】
皮膚電極１０４ａ、１０４ｂは、いくつかの側面では、複数の小ドーム、円錐、または他のパターンで構成され、過剰な体毛が、そうでなければ、そのような接触を困難にし得る場合、皮膚との接触を促進するように構成されてもよい。無線ウェアラブルモジュール１００は、アクリルおよび／または親水コロイドおよび／またはシリコーンベースの接着材料および両方の組み合わせを使用してもよい。
【００１７】
一側面では、無線ウェアラブルモジュール１００は、皮膚と界面接触し、皮膚電気応答（ＥＤＲ）とも呼ばれるＧＳＲを測定するように意図される、ステンレス鋼製のドーム状電極１１４ａ、１１４ｂを備えてもよい。本測定は、従来、うそ発見器内において、また、ストレスまたは身体活動の測定において使用され、測定面積内の汗の濃度を変化させ得る何らかのものを検出するために採用され得る。
【００１８】
一側面では、無線ウェアラブルモジュール１００は、別様にトップカバーとも称される、筐体１０２を備える。一側面では、トップカバーは、発泡体または他の好適な材料の層によって被覆されてもよい。筐体１０２内には、図６および７に示されるように、無線ウェアラブルモジュール１００は、印刷回路基板アセンブリ１１８（ＰＣＢＡ）を備える。ＰＣＢＡ１１８は、バッテリ１２０（例えば、コイン電池）と、デバイス１００の電子機器回路部分とを備える。ＰＣＢＡ１１８はまた、皮膚、周囲、および回路基板温度を測定ならびに記録するように設計される、温度測定デバイスを備える。温度測定デバイスは、皮膚と周囲温度センサとの間の熱流を測定するために使用されてもよい。
【００１９】
フレックス回路１０３は、ＰＣＢＡ１１８に電気的に連結される。フレックス回路１０３は、電極１０４ａ、１０４ｂと、一側面では、付加的電気センサとを備える。フレックス回路１０３は、ＰＣＢＡ１１８上の電気回路と電気的にインターフェースをとる、インターフェース構成要素を備える。フレックス回路１０３は、図１２に関連して本明細書に後述されるように、コンフィギュアビリティのためのプラットフォームを提供し、複数のセンサ構成が、単一の物理的ＰＣＢＡ１１８と、かつ電子モジュールと電気的にインターフェースをとることを可能にする。一側面では、ＧＳＲ／ＥＤＡセンサのステンレス鋼製のドーム状電極１１４ａ、１１４ｂは、フレックス回路１０３を介して、ＰＣＢＡ１１８に電気的に連結される。一側面では、温度センサ１１６は、フレックス回路１０３に接続される。一側面では、フレックス回路１０３は、対象の身体への無線ウェアラブルモジュール１００の連結（取付）を可能にする、接着材料１０７を備える。接着材料１０７は、通気性、二重、ハイブリッド、分割式、親水コロイド等であってもよい。結合層が、フレックス回路１０３を皮膚接着層に連結し、密閉障壁を作成するために提供される。電極ヒドロゲル材料（図示せず）は、電極１０４ａ、１０４ｂの身体取付側に提供され、対象の身体への電極１０４ａ、１０４ｂの電気的連結を補助してもよい。剥離ライナ１０９が、対象に取り付ける時まで、接着材料１０７を保護するために、接着材料１０７にわたって提供される。
【００２０】
一側面では、無線ウェアラブルモジュール１００は、無線ウェアラブルモジュール１００をオンにし、他の動作を始動させるために、対象によって使用するための１つ以上のボタン１０６を備えてもよい。
【００２１】
図１２は、無線ウェアラブルモジュールの一側面１００のシステム略図２００である。一側面では、無線ウェアラブルモジュール１００は、第１の電子モジュール２０１と、ＲＦ無線回路等の無線通信回路２０８とを備える。第１の電子モジュール２０１は、無線ウェアラブルモジュール１００の種々の側面を実装するために、ハードウェアアーキテクチャおよびソフトウェアフレームワークを含む、ＡＳＩＣベースのセンサプラットフォーム２０２を備える。一側面では、ＡＳＩＣベースのセンサプラットフォーム２０２は、ＰＣＢＡ１１８上に配置され、それとインターフェースがとられてもよい（図７および８）。無線通信回路２０８は、低電力であって、他の無線デバイス（とりわけ、携帯電話、スマートフォン、タブレットコンピュータ、ラップトップコンピュータ、ゲートウェイデバイス）に接続するように構成されてもよい。第２の電子インターフェースモジュール２０３は、ＰＣＢＡ１１８および第１の電子モジュール２０１とインターフェースをとる。一側面では、電子モジュール２０１、２０３はそれぞれ、ＰＣＢＡ１１８上または外に常駐する、付加的モジュールを備えてもよく、あるいは別の側面では、ＰＣＢＡ１１８上に配置されてもよい。
【００２２】
一側面では、第１の電子モジュール２０１は、センサプラットフォームを提供し、異なるセンサとインターフェースをとるように設計される回路を備え、以下の構成要素の種々の組み合わせを備える。種々の側面では、第１の電子モジュール２０１ＡＳＩＣベースのセンサプラットフォームは、複数の機能、すなわち、摂取可能イベントマーカーの検出のためのソフトウェア定義無線、ＥＣＧの感知およびデコード、ＡＣ皮膚インピーダンス測定、温度測定、ＤＣ皮膚インピーダンス（例えば、ＧＳＲ）測定、ならびに他の生物学的／医療データセンサを伴う、「ＡＳＩＣベースのセンサプラットフォーム」を備える、単一低電力ＡＳＩＣ／チップ内に、アナログフロントエンド、ベクトル／デジタル信号処理、マイクロプロセッサ、およびメモリの組み合わせを提供する。
【００２３】
一側面では、第１の電子モジュール２０１は、本明細書に後述される他の構成要素の中でもとりわけ、ＡＳＩＣセンサプラットフォーム２０２と、コントローラまたはプロセッサ２０４、例えば、マイクロコントローラユニット（ＭＣＵ）と、無線周波数（ＲＦ）無線回路２０８とを備える。
【００２４】
一側面では、第１の電子モジュール２０１のＡＳＩＣ部分２０２は、他の構成要素の中でもとりわけ、コアプロセッサ２０４、例えば、リアルタイムアプリケーションのための３２ビットマイクロプロセッサ、信号処理デバイス、例えば、Ｖｅｃｔｏｒ  Ｍａｔｈアクセラレータ、プログラムメモリ、データメモリ、シリアルインターフェース、例えば、ＳＰＩ等の、汎用非同期受信機送信機（ＵＡＲＴ）、二線マルチマスタシリアル単一端バスインターフェース（Ｉ２Ｃ）、汎用入力／出力（ＧＰＩＯ）、リアルタイムクロック、アナログ／デジタルコンバータ（ＡＤＣ）、生体電位信号のための利得および調整回路、発光ダイオード（ＬＥＤ）ドライバを備えてもよい。第１の電子モジュール２０１はまた、外部メモリへの接続ポートと、外部センサへの接続ポートと、ハードウェアアクセラレータとを備える。プロセッサ２０４は、アナログセンサのためのアナログフロントエンドを動作させ、ＡＤＣデジタイザを伴うセンサからデジタルデータを受信することによって、センサのそれぞれから信号を受信する。プロセッサ２０４は、次いで、データを処理し、結果をデータ記録の形態としてメモリ２１２内に記憶する。一側面では、プロセッサ２０４は、超長命令語（ＶＬＩＷ）プロセッサアーキテクチャを有してもよい。
【００２５】
一側面では、第１の電子モジュール２０１はまた、ユニバーサルシリアルバス２０６（ＵＳＢ）と、加速度計２１０と、フラッシュメモリ２１２と、１つ以上のＬＥＤ２１４と、試験インターフェース２１６（Ｉ／Ｆ）と、３２ＫＨｚクリスタル２１８と、外部デバイスとの通信接続を開始するために使用され得るユーザボタン１０６と、センサインターフェース２３２、２３４と、バッテリ１２０（例えば、コイン電池、一次バッテリ電池）とを備える。一側面では、バッテリ１２０は、一次バッテリ電池ではなく、再充電可能電池であってもよい。他の側面では、第１の電子モジュール２０１は、ジャイロスコープと、ＥＣＧ、温度、および加速度計信号を処理するための回路とを備えてもよい。他の側面では、第１の電子モジュール２０１はまた、酸化ヘモグロビンと酸素を輸送可能なヘモグロビンの比率を計算することによって、動脈血液の機能的酸素飽和度を監視する、生体成分およびＳｐＯ２パルスオキシメトリ回路を備えてもよい。ＳｐＯ２パルスオキシメトリ回路は、ＳｐＯ２の継続的な非侵襲的測定を提供するように構成されてもよく、一側面では、プレチスモグラフ波形を表示することができる。心拍数値は、パルスオキシメトリ信号から導出されてもよい。
【００２６】
一側面では、第１の電子モジュール２０１は、ＲＦ無線回路２０８を備える。ＲＦ無線回路２０８は、以下により詳細に説明されるように、無線信号を送受信するためのアンテナと、送信機回路と、受信機回路と、別の外部の無線デバイスに接続（それとリンクを確立）し、データを転送するための機構を含む、リンクマスタコントローラとを備える。一側面では、リンクマスタコントローラは、外部デバイスと接続を確立する。リンクのマスタとして、リンクマスタコントローラは、タイミング制御および周波数制御（例えば、限定ではないが、無線、チャネルホッピング、適応周波数制御、および同等物）を含む、外部デバイスへのリンクを経由したデータ伝送の制御を行う。一側面では、以下の実装に限定されないが、リンクマスタコントローラは、すでに伝送されたデータ記録の伝送の繰り返しを回避し、より長い動作の間、バッテリ１２０の電力使用を改善するように構成されることができる。一側面では、リンクマスタコントローラは、メモリ内に記憶されたデータ記録の数（全データ記録の総数および各データタイプの記録の総数）を与える命令とともに、信号を外部デバイスに送信する。各接続後、プロセッサ２０４は、継続して全センサ信号を受信し、データを処理し、新しいデータ記録をメモリ２１２内に記憶する。各後続接続に応じて、リンクマスタコントローラは、最後の接続以降の新しいデータ記録とともに、信号を外部デバイスに送信し、記録が正常に伝送されたことを確認する。リンクマスタコントローラは、すでに伝送されたデータ記録の伝送の繰り返しを回避し、より長い動作の間、バッテリ１２０の電力使用を改善し、正常に転送されなかった全データ記録を再送信する。一側面では、ＲＦ無線回路２０８は、Ｂｌｕｅｔｏｏｔｈ（登録商標）送信機プロセッサ（ＢＴＰ）を備える。接続ポートは、ＲＦ無線回路２０８を制御する。
【００２７】
一側面では、第１の電子モジュール２０１は、電極１０４ａ、１０４ｂと１つ以上の帯域通過フィルタまたはチャネルとの間にセンサインターフェース２３２、２３４を備える。センサインターフェース２３２、２３４は、アナログフロントエンドを提供し、プログラマブル利得または固定利得増幅器、プログラマブル低域通過フィルタ、プログラマブル高域通過フィルタを含んでもよい。センサインターフェース２３２、２３４は、例えば、歪みゲージ測定回路を含む、アクティブ信号調整回路を備えてもよい。あるチャネルは、対象（例えば、ユーザ）の生理学的データと関連付けられた低周波数情報を受信し、他のチャネルは、対象内の電子デバイスと関連付けられた高周波数情報を受信する。ある代替側面では、付加的チャネルが、対象のＤＣデータを受信するために提供される。高周波数情報は、ＡＳＩＣ部分２０２内に実装されたデジタル信号プロセッサ（ＤＳＰ）、次いで、解凍およびデコードのために、無線ウェアラブルモジュール１００のプロセッサ２０４（例えば、制御プロセッサ）部分にパスされる。低周波数情報は、ＡＳＩＣ部分２０２のＤＳＰ部分、次いで、プロセッサ２０４にパスされるか、または直接プロセッサ２０４にパスされるかのいずれかである。ＤＣ情報は、直接、プロセッサ２０４にパスされる。ＡＳＩＣ部分２０２のＤＳＰ部分およびプロセッサ２０４は、高周波数、低周波数、およびＤＣ情報またはデータをデコードする。本情報は、次いで、処理され、伝送のために準備される。
【００２８】
一側面では、信号処理は、収集された未加工データに適用されてもよく、またはそうではなくてもよい。信号処理は、実空間、複素数空間、または極座標空間内で生じてもよい。機能は、フィルタ、例えば、有限インパルス応答（ＦＩＲ）および無限インパルス応答（ＩＩＲ）、ミキサ、高速フーリエ変換（ＦＦＴ）、コーディック、およびその他を含む。未加工データは、単に、下流に記憶され、処理されてもよい。信号処理は、プロセッサ（例えば、３２ビットマイクロプロセッサ）内で生じてもよく、またはＡＳＩＣ部分２０２内に組み込まれる、信号処理アクセラレータ内で生じてもよい。
【００２９】
一側面では、第１の電子モジュール２０１は、加速度計２１０と、１つ以上の温度センサ２３６とを備える。一側面では、同じであるが、異なる場所に設置される、２つの温度センサが、提供される（１つは、皮膚に近接して、もう１つは、付加的データを測定するために周囲に近接して）。温度測定デバイス２３６は、皮膚、周囲、および回路基板温度を測定および記録するように構成されてもよい。温度測定デバイスは、皮膚と周囲温度センサとの間の熱流を測定するために使用されてもよい。一側面では、温度センサ２３６またはセンサは、負の温度係数（ＮＴＣ）または正の温度係数（ＰＴＣ）を伴う、サーミスタデバイスであって、別の側面では、温度センサ２３６またはセンサは、統合された半導体デバイスを使用する。本情報は、プロセッサ２０４に提供され、プロセッサ２０４によって処理され、無線２０８の送信機部分による伝送のために準備されることができる。測定された生理学的情報は、プロセッサ２０４によって処理され、リアルタイムまたは未加工データとして伝送されてもよく、あるいは導出された量またはパラメータが、伝送されてもよい。一側面では、ＡＳＩＣ部分２０２は、電流源を組み込み、抵抗センサの測定を駆動させる。電流源は、制限された正確度を有するため、参照レジスタが、電流源およびＡＤＣ内のエラーを較正するために提供されてもよい。
【００３０】
一側面では、加速度計２１０は、リサンプリング周波数補正プロセッサを伴う、３軸加速度計であってもよい。デジタル加速度計２１０センサは、通常、ＭＥＭＳベースの加速センサ要素と、デジタイザと、デジタルインターフェース制御論理とを含む。典型的には、これらの加速度計は、低正確度を伴うレジスタ−キャパシタ（ＲＣ）発振器を使用し、デジタイザサンプリング入力をストローブさせる。そのような加速度計２１０からの信号を信号処理アルゴリズム内で採用するために、ＲＣ発振器の正確度は、十分ではない。故に、一側面では、第１の電子モジュール２０１は、加速度計２１０からの信号を取り上げ、再サンプリングを行い、ＲＣ発振器エラーを補償する、加速度計サンプリング周波数補正プロセッサを備える。
【００３１】
一側面では、加速度計２１０サンプリング周波数補正プロセッサは、参照クロック（高正確度発振器）と、固定アップサンプルブロックと、デジタルフィルタと、プログラマブルダウンサンプルブロックと、加速度計および参照クロックからの信号のタイミングの比較に基づいて、ダウンサンプル係数を選択する、制御回路とを備える。リサンプリング機能は、スライディングウィンドウ内において参照クロックと整合（例えば、同期または同調）を保ち、精密なサンプリングレートを生成する。アルゴリズムは、リアルタイム３２ｋＨｚクロック２１８を較正する。加速度計２１０サンプリング周波数補正プロセッサは、加速度計信号からのデータのフレーム毎にダウンサンプリング係数を設定する。本アプローチは、加速度計信号のタイミングを継続的に追跡し、累積タイミングエラーを最小限にするためのダウンサンプリング係数を選択することをもたらす。これは、継続的加速度計２１０デジタルデータが、高精度で正確なクロックに整合することを可能にする。
【００３２】
一側面では、第１の電子モジュール２０１は、低電力低メモリデータ記憶および転送方式を採用する。一側面では、無線ウェアラブルモジュール１００メモリ２１２内のデータの記憶および転送は、低電力および低メモリ使用のために最適化される。一側面では、センサデータは、それぞれ、タイプ識別子を伴う記録として、メモリ２１２内に記憶されることができる。一側面では、記録は、ＲＦ無線回路２０８によって、無線ウェアラブルモジュール１００上に記憶されたものと同一のフォーマットにおいて、パケットペイロードとして外部デバイスに転送されることができる。一側面では、記録は、空間使用を最適化するための可変長を伴って、連続的に記憶されることができる。一側面では、メモリ２１２からの高速記録読取アクセスを可能にする、データディレクトリが、含まれてもよい。一側面では、タイプ別にデータ記録の高速カウンティングを可能にする、データディレクトリが、含まれてもよい。
【００３３】
一側面では、第１の電子モジュール２０１は、高信頼保全性データ記憶および転送方式を採用する。一側面では、無線ウェアラブルモジュール１００メモリ記憶および転送方式は、高信頼データ保全性のために設計される。一側面では、無線ウェアラブルモジュール１００のメモリ２１２内に記憶されたデータ記録毎に、データ記録破損を検出するために使用され得る、エラー検出コードが存在する。一側面では、無線ウェアラブルモジュール１００が、外部デバイスへのデータパケット転送に先立って、メモリ２１２からデータ記録を読み取ると、エラー検出コードがチェックされる。一側面では、無線ウェアラブルモジュール１００が、記憶されたデータ記録の破損を検出すると、エラー信号が、ＲＦ無線回路２０８によって、外部デバイスに送信される。一側面では、無線ウェアラブルモジュール１００から外部デバイスに転送される各パケットは、パケット破損を検出するために、外部デバイスによって使用され得る、エラー検出コードを含有する。一側面では、破損したパケットを検出後、外部デバイスは、無線ウェアラブルモジュール１００を起動し、正常に転送されなかったデータ記録を再送信することができる。
【００３４】
一側面では、第１の電子モジュール２０１は、給電され、外部デバイスに接続されると、無限のデータログを可能にする。電子モジュール２０１は、不揮発性ログメモリがいっぱいに近づくと、それを検出し、最も古いデータ記録を最新のデータ記録と置換することが可能である。電子モジュール２１０が、外部デバイスに接続されると、電子モジュール２０１の寿命の間に記録された全測定を転送可能である。リンクマスタコントローラは、その後（例えば、メモリ２１２がいっぱいになったとき）、メモリから、全部または一部の正常に転送されたデータ記録を削除してもよい。
【００３５】
一側面では、ＡＳＩＣ部分２０２の信号処理アクセラレータ部分は、高効率信号処理タスクを実装するために最適化されたコンピューティングエンジンを含む。一実装では、信号処理機能は、論理内にハードコーディングされる。そのような実装は、プロセッサ２０４またはマイクロコントローラユニット上で稼働するソフトウェア内に実装されたソフトウェアベースのアルゴリズムと比較して、１０倍以上効率的であり得る。効率は、チップサイズ、電力消費、またはクロックスピード、あるいは全３つのいくつかの組み合わせであってもよい。別の実装は、あるレベルのプログラマビリティを維持するが、計算のために最適化された１つ以上の実行ユニットを利用する。一実施例は、ＦＦＴバタフライエンジンである。このエンジンは、種々のサイズデータセットのためのＦＦＴ計算を可能にするが、プロセッサ２０４上で稼働するソフトウェアに優る有意な効率改良を維持し得る。実行ユニットはまた、一般的ＤＳＰ機能ブロックである、乗算累算ユニット（ＭＡＣ）であってもよく、あるいは浮動小数点計算ユニットまたは基本ＦＩＲフィルタ等であり得る。これらの場合、所与の集積回路プロセスのための効率は、プロセッサ２０４上のソフトウェアのものを上回るが、専用ハードウェアのもの未満であるが、しかしながら、それらは、はるかに柔軟である。
【００３６】
信号処理アクセラレータは、プロセッサ２０４間にインターフェースを維持する。本インターフェースは、先入れ先出し（ＦＩＦＯ）レジスタ、二重ポートメモリ、プロセッサ２０４の直接メモリアクセス（ＤＭＡ）エンジン、および／またはレジスタを含んでもよい。インターフェースは、典型的には、レジスタレベルまたはメモリブロックレベルで取り扱われ得る、ある形態の競合認識または回避を含む。伴われる機構は、プロセッサ２０４および信号処理アクセラレータによってポーリングされることができる、レジスタフラグセット、より高い優先順位のデバイスがそのアクティビティを完了するまで、読取または書込要求を保持するブロックまたは遅延機能のいずれかを信号伝達するための割り込みを含んでもよい。
【００３７】
一側面では、第２の電子機器インターフェースモジュール２０３は、監視されるアイテム（人、動物、機械、建物等）へのインターフェースのために取り付けられた１つ以上のセンサを伴う、ＰＣＢＡ１１８上の第１の電子機器モジュール２０１に連結される。第２の電子機器インターフェースモジュール２０３は、フレックス回路１０３と、バッテリホルダまたは筐体１０２（カバー）と、限定ではないが、とりわけ、周囲温度および体温１１６（生体またはそれ以外）、ＥＣＧ、ＧＳＲ／皮膚電位活性（ＥＤＡ）２２２、生体成分（５０Ｈｚ）、ＳｐＯ２／パルスオキシメトリ、歪みゲージを含む、１つ以上のセンサとを備える。ＡＳＩＣ部分２０２またはプロセッサ２０４によって実行される種々のアルゴリズムは、とりわけ、熱流、ＨＲ、ＨＲＶ、呼吸、ストレス、ＥＣＧ、歩調、身体角度、転倒検出を提供する。
【００３８】
一側面では、フレックス回路１０３は、ＰＣＢＡ１１８上の電気回路と電気的にインターフェースをとる、インターフェース構成要素を備える（図６および７）。フレックス回路１０３は、コンフィギュアビリティのためのプラットフォームを提供し、複数のセンサ構成が、単一物理的ＰＣＢＡ１１８と、かつ第１の電子モジュール２０１と電気的にインターフェースをとることを可能にする。一側面では、ＧＳＲ／ＥＤＡセンサ２２２のステンレス鋼製ドーム状電極１１４ａ、１１４ｂは、フレックス回路１０３を介して、ＰＣＢＡ１１８に電気的に連結される。
【００３９】
第１および第２の電子機器モジュール２０１、２０３は、種々のセンサからデータを収集し、信号処理アルゴリズムを収集されたデータに適用し、結果として生じる情報をメモリ内に記憶し、無線または有線接続のいずれかを使用して、データ／情報を別のデバイスに自動転送する。ユーザインターフェースは、１つまたは２つのＬＥＤ２１４と、プッシュボタン１０６とから成る。電力は、一次コイン電池バッテリ１２０から提供されるが、また、二次バッテリからも供給され得る。センサデータは、ＥＣＧデータ（ヒドロゲル電極１１４ａ、１１４ｂを介して）、最大３軸内の加速度測定データ、温度データ、皮膚隣接温度（サーミスタ）、周囲温度（または、身体から離れたケース温度）（サーミスタ）、ＰＣＢＡ１１８（ＡＳＩＣ部分２０２内に組み込まれたシリコンデバイス）上の温度、ＧＳＲ、ＥＤＡ（離散ステンレス鋼製電極）、高周波数、ヒドロゲル皮膚電極（ＥＣＧと同一）を通した伝導を介してサンプリングされる体内電気信号（１０ＫＨｚ以上）を含んでもよい。
【００４０】
図１３は、外部デバイス３１２と通信する無線ウェアラブルモジュール１００を備える、通信システム３００の略図である。図１３に示されるように、無線ウェアラブルモジュール１００は、ＲＦ無線回路２０８を備える。一側面では、ＲＦ無線回路２０８は、１つ以上のアンテナ３１０およびリンクマスタコントローラ３０４に連結される送受信機３１４を備える。送受信機３１４は、送信機３０６と、受信機３０８とを備える。一側面では、無線ウェアラブルモジュール１００は、Ｐｒｏｔｅｕｓ  Ｄｉｇｉｔａｌ  Ｈｅａｌｔｈ製摂取可能イベントマーカー（ＩＥＭ）から情報（高および低周波数情報と関連付けられる）を受信する。無線ウェアラブルモジュール１００は、無線ウェアラブルモジュール１００からの情報の無線通信を受信し、情報を無線ウェアラブルモジュール１００に返す、外部デバイス３１２にその情報を通信してもよい。外部デバイス３１２は、対象の身体外に位置し、種々の側面では、例えば、携帯電話、スマートフォン、タブレットコンピュータ、基地局、中央データ施設、またはコンピュータであってもよい。無線ウェアラブルモジュール１００と外部デバイス３１２との間の通信リンクは、二重（双方向）通信システムであって、情報は、外部デバイス３１２に送信され（Ｔｘ１）、外部デバイス３１２から受信される（Ｒｘ１）ことができる。したがって、外部デバイス３１２は、情報を無線ウェアラブルモジュール１００に送信し、無線ウェアラブルモジュール１００は、情報を外部デバイス３１２に送信する。
【００４１】
一側面では、無線ウェアラブルモジュール１００は、マスタであって、外部デバイス３１２は、スレーブである。外部デバイス３１２は、データの形態または配列を変化させない。外部デバイス３１２は、データの伝送Ｔｘ１またはデータが伝送される様式を指示しない。一側面によると、無線ウェアラブルモジュール１００のＲＦ無線回路２０８は、プロセッサ２０４（例えば、制御プロセッサ）と通信する、Ｂｌｕｅｔｏｏｔｈ（登録商標）送信機プロセッサ（ＢＴＰ）を含む。通信リンクＴｘ１／Ｒｘ１は、Ｂｌｕｅｔｏｏｔｈ（登録商標）に基づいてもよい。また、Ｂｌｕｅｔｏｏｔｈ（登録商標）低エネルギー（ＢＬＥ）、ＢＴおよびＢＬＥの両方の組み合わせ、ＡＮＴ、Ｚｉｇｂｅｅ（登録商標）、または他の低電力通信方法、および他の汎用通信方法（ＷｉＦｉおよび携帯電話技術）を使用するように構成されてもよい。プロセッサ２０４は、情報をＢＴＰに送信し、ＢＴＰは、情報を暗号化し、外部デバイス３１２に伝送する。伝送時、ＢＴＰは、データを暗号化し、通信プロトコルの一部として生成される乱数を使用して、それをセキュア化する。無線ウェアラブルモジュール１００は、外部デバイス３１２との通信を切断し、異なる外部デバイスとペアリングしてもよい。外部デバイス３１２は、無線ウェアラブルモジュール１００とのペアリングを解除し、次いで、異なる無線ウェアラブルモジュールとペアリングしてもよい。代替側面では、外部デバイス３１２は、マスタであって、無線ウェアラブルモジュール１００は、スレーブである。
【００４２】
代替側面では、ＢＴＰは、ＲＦ無線回路２０８内に存在せず、データは、無線ウェアラブルモジュール１００が全データの収集を完了し、対象の身体から取り外された（除去された）後、外部デバイス３１２と確立される、電気接続を経由して送信される。一側面では、電気接続は、環境から、かつ対象と接触しないように、パッチエンクロージャによって被覆および保護され、そのエンクロージャが、電気接触を行うように開放および穿孔される、ＵＳＢ２０６（図１２）接続のような電気接点の専用セットを通して完了されてもよい。別の側面では、電気接続は、対象からのデータ収集のために使用される、同一の乾燥電極１１４ａ、１１４ｂ（図１２）と行われ、乾燥電極１１４ａ、１１４ｂは、データ収集後、外部デバイス３１２へのデータ伝送のために再使用される。本側面では、２つの電気回路、すなわち、データを外部デバイス３１２に伝送し、電気安全性を対象に提供する、第１の送信機３０６回路と、対象への接続が確立されたことを検出し、第１の送信機３０６回路がデータを送信しないように防止する、第２の回路とが存在する。本機能性は、バッテリを節約するための機構としての役割を果たし、ユーザ快適性のために、付加的電流を生成しない（これらの電流は、第１の回路によって確立された安全範囲内であって、したがって、安全機構ではない）。これらの種々の側面はまた、コネクタと、アダプタとを含んでもよい。
【００４３】
前述のように、外部デバイス３１２は、携帯電話またはスマートフォン等の電話であってもよい。外部デバイス３１２が、ＲＦ無線回路２０８からデータ伝送を受信すると、外部デバイス３１２は、データを処理し、データを無線ウェアラブルモジュール１００上のＲＦ無線回路２０８に返すか、またはデータを別のデバイスに伝送するかのいずれかを行うことができる。一側面では、外部デバイス３１２は、ＲＦ無線回路２０８から受信されたデータに基づいて、とりわけ、睡眠、活動度分類、歩行／不均衡、ストレス、カロリー消費、水和を計算するための電話／サーバアプリケーションおよびアルゴリズムを備えてもよい。他の側面では、外部デバイス３１２は、例えば、とりわけ、温度センサ、場所センサ等のセンサを備えてもよい。一側面では、外部デバイス３１２は、ウェアラブルモジュール１００自体の取付または一体部分であってもよく、取付または一体部分は、携帯電話またはスマートフォン等の全機能を行う。
【００４４】
種々の詳細が、前述の説明に記載されたが、無線ウェアラブル装置、システム、および方法の種々の側面は、これらの具体的詳細を伴わずに実践されてもよいことを理解されるであろう。例えば、簡潔および明確にするために、選択される側面は、詳細にではなく、ブロック図形態で示されている。本明細書に提供される発明を実施するための形態のいくつかの部分は、コンピュータメモリ内に記憶されるデータに作用する命令の観点から提示されてもよい。そのような説明および表現は、その研究の内容を他の当業者に説明および伝達するために、当業者によって使用される。一般に、アルゴリズムは、所望の結果につながるステップの自己無撞着シーケンスを指し、「ステップ」は、必ずしもである必要はないが、記憶、転送、組み合わせ、比較、および別様に操作されることが可能な電気または磁気信号の形態を取り付けられ得る、物理的量の操作を指す。これらの信号をビット、値、要素、記号、文字、項、数字、または同等物として言及することが一般的使用である。これらおよび類似用語は、適切な物理的量と関連付けられてもよく、単に、これらの量に適用される便宜的標識である。
【００４５】
前述の議論から明白であるように、具体的に別様に述べられない限り、前述の説明全体を通して、「処理する」または「コンピューティングする」または「計算する」または「判定する」または「表示する」または同等物等の用語を使用した議論は、コンピュータシステムのレジスタおよびメモリ内の物理的（電子）量として表されるデータを操作し、コンピュータシステムメモリまたはレジスタあるいは他のそのような情報記憶、伝送、またはディスプレイデバイス内の物理的量として同様に表される他のデータに変換する、コンピュータシステムまたは類似電子コンピューティングデバイスのアクションおよびプロセスを指すことを理解されたい。
【００４６】
「一側面」、「ある側面」、「一実施形態」、または「ある実施形態」のいずれかの言及は、その側面に関連して説明される特定の特徴、構造、または特性が、少なくとも１つの側面内に含まれることを意味することは、特筆に値する。したがって、明細書全体を通して、種々の場所における語句「一側面では」、「ある側面では」、「一実施形態では」、または「ある実施形態では」の表出は、必ずしも全て、同一の側面を参照するわけではない。さらに、特定の特徴、構造、または特性は、１つ以上の側面において、任意の好適な様式で組み合わせられてもよい。
【００４７】
いくつかの側面が、その派生形とともに、「連結される」および「接続される」という表現を使用して説明され得る。これらの用語は、相互に同義語として意図されるものではないことを理解されたい。例えば、いくつかの側面は、２つ以上の要素が、直接、相互に物理的または電気的に接触することを示すために、用語「接続される」を使用して説明され得る。別の実施例では、いくつかの側面は、２つ以上の要素が、直接、物理的または電気的に接触することを示すために、用語「連結される」を使用して説明され得る。しかしながら、用語「連結される」はまた、２つ以上の要素が、直接、相互に接触しないが、依然として、相互に協働または相互作用することも意味し得る。
【００４８】
種々の実施形態が、本明細書に説明されたが、それらの実施形態に対する多くの修正、変形例、代用、変更、および均等物が、実装されてもよく、当業者に想起されるであろう。また、ある材料が、ある構成要素に関して開示される場合、他の材料が使用されてもよい。したがって、前述の説明および添付の請求項は、開示される実施形態の範囲内にある全てのそのような修正および変形例を網羅することが意図されることを理解されたい。添付の請求項は、全てのそのような修正および変形例を網羅することが意図される。
【００４９】
参照することによって本明細書に組み込まれると言及される、いずれの特許、刊行物、または他の開示資料も、組み込まれる材料が、既存の定義、陳述、または本開示に記載の他の開示資料と矛盾しない範囲においてのみ、全体的または部分的に、本明細書に組み合わせられる。したがって、必要な範囲において、本明細書に明示的に記載される開示は、参照することによって本明細書に組み込まれるいずれの矛盾資料にも優先する。参照することによって本明細書に組み込まれると言及されるが、既存の定義、陳述、または本明細書に記載される他の開示資料と矛盾しない、いずれの材料またはその一部も、その組み込まれた資料と既存の開示資料との間に矛盾が生じない範囲においてのみ組み込まれるであろう。
【００５０】
要するに、本明細書に説明される概念を採用することから生じる、多数の利点が説明された。１つ以上の実施形態の前述の説明は、例証および説明の目的のために提示されている。これは、包括的である、または開示される精密な形態に限定することを意図するものではない。修正または変形例が、前述の教示に照らして可能である。１つ以上の実施形態が、原理および実践的用途を図示し、それによって、当業者が、検討される特定の使用に好適であるような種々の修正を伴って、種々の実施形態を利用することを可能にするために、選定および説明された。本明細書に提示される請求項は、全範囲を定義することが意図される。
【００５１】
種々の実施形態が、本明細書に説明されたが、それらの実施形態に対する多くの修正、変形例、代用、変更、および均等物が、実装されてもよく、当業者に想起されるであろう。また、ある材料が、ある構成要素に関して開示される場合、他の材料が使用されてもよい。したがって、前述の説明および添付の請求項は、開示される実施形態の範囲内にある全てのそのような修正および変形例を網羅することが意図されることを理解されたい。添付の請求項は、全てのそのような修正および変形例を網羅することが意図される。
【００５２】
要するに、本明細書に説明される概念を採用することから生じる、多数の利点が説明された。１つ以上の実施形態の前述の説明は、例証および説明の目的のために提示されている。これは、包括的である、または開示される精密な形態に限定することを意図するものではない。修正または変形例が、前述の教示に照らして可能である。１つ以上の実施形態が、原理および実践的用途を図示し、それによって、当業者が、検討される特定の使用に好適であるような種々の修正を伴って、種々の実施形態を利用することを可能にするために、選定および説明された。本明細書に提示される請求項は、全範囲を定義することが意図される。
【００５３】
本明細書に説明される実施形態の一部または全部は、概して、個々に、および／または集合的に、種々のタイプの「電気回路」から成ると見なされ得る、広範囲のハードウェア、ソフトウェア、ファームウェア、または任意のそれらの組み合わせによって実装されることができる、技術を備えてもよい。その結果、本明細書で使用されるように、「電気回路」は、限定ではないが、少なくとも１つの離散電気回路を有する電気回路、少なくとも１つの集積回路を有する電気回路、少なくとも１つの特定用途向け集積回路を有する電気回路、コンピュータプログラム（例えば、少なくとも部分的に、本明細書に説明されるプロセスおよび／またはデバイスを実施する、コンピュータ命令によって構成される、汎用または特定用途向けコンピュータ、あるいは少なくとも部分的に、本明細書に説明されるプロセスおよび／またはデバイスを実施する、コンピュータプログラムによって構成されるマイクロプロセッサ）によって構成される、汎用コンピューティングデバイスを形成する電気回路、メモリデバイス（例えば、ランダムアクセスメモリの形態）を形成する電気回路、および／または通信デバイス（例えば、モデム、通信スイッチ、または光電気機器）を形成する電気回路を含む。当業者は、本明細書に説明される主題が、アナログまたはデジタル方式あるいはいくつかのそれらの組み合わせにおいて実装されてもよいことを認識するであろう。
【００５４】
前述の発明を実施するための形態は、ブロック図、フローチャート、および／または実施例の使用を介して、デバイスおよび／またはプロセスの種々の実施形態を記載している。そのようなブロック図、フローチャート、および／または実施例が、１つ以上の機能および／または動作を含有する限り、そのようなブロック図、フローチャート、または実施例内の各機能および／または動作は、個々に、および／または集合的に、広範囲のハードウェア、ソフトウェア、ファームウェア、または事実上任意のそれらの組み合わせによって実装されることができることが、当業者によって理解されるであろう。一実施形態では、本明細書に説明される主題のいくつかの部分は、特定用途向け集積回路（ＡＳＩＣ）、フィールドプログラマブルゲートアレイ（ＦＰＧＡ）、デジタル信号プロセッサ（ＤＳＰ）、または他の統合フォーマットを介して実装されてもよい。しかしながら、当業者は、本明細書に開示される実施形態のいくつかの側面が、全体的または部分的に、１つ以上のコンピュータ上で稼働する１つ以上のコンピュータプログラムとして（例えば、１つ以上のコンピュータシステム上で稼働する１つ以上のプログラムとして）、１つ以上のプロセッサ上で稼働する１つ以上のプログラムとして（例えば、１つ以上のマイクロプロセッサ上で稼働する１つ以上のプログラムとして）、ファームウェアとして、または事実上任意のそれらの組み合わせとして、集積回路内に同等に実装されることができ、回路の設計および／またはソフトウェアおよび／またはファームウェアのためのコードの書込が、本開示に照らして、当業者の技術範囲内であろうことを認識するであろう。加えて、当業者は、本明細書に説明される主題の機構が、種々の形態において、プログラム製品として配布可能であって、本明細書に説明される主題の例証的実施形態が、実際に配布を実施するために使用される特定のタイプの信号搬送媒体にかかわらず、適用されることを理解するであろう。信号搬送媒体の実施例として、限定ではないが、フロッピー（登録商標）ディスク、ハードディスクドライブ、コンパクトディスク（ＣＤ）、デジタルビデオディスク（ＤＶＤ）、デジタルテープ、コンピュータメモリ等の記録可能タイプの媒体と、デジタルおよび／またはアナログ通信媒体（例えば、光ファイバケーブル、導波管、有線通信リンク、無線通信リンク（例えば、送信機、受信機、伝送論理、受信論理等）等の伝送タイプの媒体とが挙げられる。
【００５５】
当業者は、本明細書に説明される構成要素（例えば、動作）、デバイス、オブジェクト、およびそれらに付随の議論が、概念上明確にするために、実施例として使用され、種々の構成修正が検討されることを認識するであろう。その結果、本明細書で使用されるように、記載される具体的典型および付随の議論は、そのより一般的種類の代表であることが意図される。一般に、任意の具体的典型の使用は、その種類の代表であることが意図され、具体的構成要素（例えば、動作）、デバイス、およびオブジェクトの非含有は、限定として見なされるべきではない。
【００５６】
本明細書における実質的に任意の複数形および／または単数形用語の使用に関して、当業者は、文脈および／または用途に応じて、複数形から単数形および／または単数形から複数形に変換することができる。種々の単数形／複数形の順列は、明確にするために、本明細書に明示的に記載されない。
【００５７】
本明細書で説明された主題は、異なる他の構成要素内に含有される、またはそれらと接続される、異なる構成要素を図示することもある。そのような描写されたアーキテクチャは例示的にすぎず、実際には、同一の機能性を達成する、多くの他のアーキテクチャを実装し得ることを理解されたい。概念的な意味で、所望の機能性が達成されるように、同一の機能性を達成するための構成要素の任意の配列が、効果的に「関連付けられる」。したがって、アーキテクチャまたは中間構成要素にかかわらず、所望の機能性が達成されるように、特定の機能性を達成するように組み合わせられる、本明細書の任意の２つの構成要素は、相互と「関連付けられる」と見なすことができる。同様に、そのように関連付けられる任意の２つの構成要素はまた、所望の機能性を達成するように、相互に「動作可能に接続される」または「動作可能に連結される」と見なすこともでき、そのように関連付けられることが可能な任意の２つの構成要素はまた、所望の機能性を達成するように、相互に「動作可能に連結可能である」と見なすこともできる。動作可能に連結可能なものの具体的実施例は、物理的に噛合可能な、および／または物理的に相互作用する構成要素、および／または無線で相互作用可能な、および／または無線で相互作用する構成要素、および／または論理的に相互作用する、および／または論理的に相互作用可能な構成要素を含むが、それらに限定されない。
【００５８】
いくつかの事例では、１つ以上の構成要素が、本明細書では、「構成される」、「構成可能である」、「動作可能／動作する」、「適応される／適応可能である」、「可能である」、「確認可能／確認される」等と言及され得る。当業者は、「構成される」とは、文脈と矛盾しない限り、概して、アクティブ状態構成要素および／または非アクティブ状態構成要素および／またはスタンバイ状態構成要素を包含し得ることを認識するであろう。
【００５９】
本明細書に説明される本主題の特定の側面が、図示および説明されたが、本明細書の教示に基づいて、変更および修正が、本明細書に説明される主題およびそのより広範な側面から逸脱することなく行われてもよく、したがって、添付の請求項は、その範囲内に、全てのそのような変更および修正を包含し、本明細書に説明される主題の真の精神および範囲内にあることが、当業者に明白となるであろう。一般に、本明細書で、特に、添付の請求項（例えば、添付の請求項の本文）で使用される用語は、概して、「非制約的な」用語として意図されていることが、当業者によって理解されるであろう（例えば、「〜を含む」という用語は、「〜を含むが、それらに限定されない」として解釈されるべきであり、「〜を有する」という用語は、「少なくとも〜を有する」として解釈されるべきであり、「含む」という用語は、「含むが、それらに限定されない」として解釈されるべきである、等）。さらに、特定の番号の導入された請求項の記載が意図される場合、そのような意図は、請求項で明示的に記載され、そのような記載がない場合、そのような意図は存在しないことが、当業者によって理解されるであろう。例えば、理解の補助として、以下の添付の請求項は、請求項の記載を導入するように、「少なくとも１つの」および「１つ以上の」という導入語句の使用を含有してもよい。しかしながら、そのような語句の使用は、たとえ同一の請求項が、「１つ以上の」または「少なくとも１つの」という導入語句、および「１つの」（「ａ」または「ａｎ」）等の不定冠詞を含むときでさえも、「１つの」（「ａ」または「ａｎ」）という不定冠詞による請求項の記載の導入は、そのような導入された請求項の記載を含有する任意の特定の請求項を、１つだけのそのような記載を含有する請求項に限定すると示唆するように解釈されるべきではない（例えば、「１つの」（「ａ」および／または「ａｎ」）は、典型的には、「少なくとも１つの」または「１つ以上の」）を意味するように解釈されるべきである）。同じことが、請求項の記載を導入するために使用される定冠詞の使用に当てはまる。
【００６０】
加えて、たとえ特定の番号の導入された請求項の記載が明示的に記載されたとしても、当業者であれば、そのような記載は、典型的には、少なくとも記載された番号を意味すると解釈されるべきであると認識するであろう（例えば、他の修飾語がない「２つの記載」という最低限の記載は、典型的には、少なくとも２つの記載、または２つ以上の記載を意味する）。さらに、「Ａ、Ｂ、およびＣ等のうちの少なくとも１つ」に類似する慣例が使用される場合において、一般に、当業者であれば慣例を理解するであろうという意味で、そのような構造が意図される（例えば、「Ａ、Ｂ、およびＣのうちの少なくとも１つを有するシステム」は、Ａのみ、Ｂのみ、Ｃのみ、ＡおよびＢ両方、ＡおよびＣ両方、ＢおよびＣ両方、および／またはともにＡ、Ｂ、およびＣ全て等を有する、システムを含むが、それらに限定されないであろう）。「Ａ、Ｂ、およびＣ等のうちの少なくとも１つ」に類似する慣例が使用される場合において、一般に、当業者であれば慣例を理解するであろうという意味で、そのような構造が意図される（例えば、「Ａ、Ｂ、およびＣのうちの少なくとも１つを有するシステム」は、Ａのみ、Ｂのみ、Ｃのみ、ＡおよびＢ両方、ＡおよびＣ両方、ＢおよびＣ両方、および／またはＡ、Ｂ、およびＣ全て等を有する、システムを含むが、それらに限定されないであろう）。さらに、説明、請求項、または図面の中にかかわらず、２つ以上の代替的な用語を提示する、典型的には、あらゆる離接語および／または語句は、文脈と矛盾しない限り、該用語のうちの１つ、該用語のいずれか一方、または両方の用語を含む可能性を考慮すると理解されるべきであると、当業者によって理解されるであろう。例えば、「ＡまたはＢ」という語句は、典型的には、「ＡまたはＢ」あるいは「ＡおよびＢ」の可能性を含むと理解されるであろう。
【００６１】
添付の請求項に関して、当業者は、その中に列挙される動作が、概して、任意の順序で行われてもよいことを理解するであろう。また、種々の動作フローが、シーケンスとして提示されるが、種々の動作は、図示されるもの以外の他の順序で行われてもよく、または並行して行われてもよいことを理解されたい。そのような代替順序の実施例として、文脈と矛盾しない限り、重複、割込、中断、並べ替え、増分、予備、補足、同時、反転、または他の変形順序が挙げられ得る。さらに、「〜に応答して」、「〜に関連する」、または他の過去形の時制の形容詞のような用語は、文脈と矛盾しない限り、概して、そのような変形を除外することを意図するものではない。
【００６２】
当業者は、デバイスおよび／またはプロセスおよび／またはシステムを実装し、その後、工学および／または他の実践を使用して、そのような実装されるデバイスおよび／またはプロセスおよび／またはシステムをより包括的デバイスおよび／またはプロセスおよび／またはシステム内に統合することが、当技術分野において一般的であることを認識するであろう。すなわち、本明細書に説明されるデバイスおよび／またはプロセスおよび／またはシステムの少なくとも一部は、合理的量の実験を介して、他のデバイスおよび／またはプロセスおよび／またはシステム内に統合されることができる。当業者は、そのような他のデバイスおよび／またはプロセスおよび／またはシステムの実施例が、文脈および用途に応じて、（ａ）空路輸送（例えば、飛行機、ロケット、ヘリコプター等）、（ｂ）陸上輸送（例えば、車、トラック、機関車、タンク、装甲兵員輸送車等）、（ｃ）建物（例えば、家、倉庫、事務所等）、（ｄ）電気器具（例えば、冷蔵庫、洗濯機、ドライヤー等）、（ｅ）通信システム（例えば、ネットワーク化されたシステム、電話システム、ボイスオーバーＩＰシステム等）、（ｆ）企業体（例えば、Ｃｏｍｃａｓｔ  Ｃａｂｌｅ、Ｑｗｅｓｔ、Ｓｏｕｔｈｗｅｓｔｅｒｎ  Ｂｅｌｌ等のインターネットサービスプロバイダ（ＩＳＰ）事業体）、または（ｇ）有線／無線サービス事業体（例えば、Ｓｐｒｉｎｔ、Ｃｉｎｇｕｌａｒ、Ｎｅｘｔｅｌ等）等のデバイスおよび／またはプロセスおよび／またはシステムの全部あるいは一部を含み得ることを認識するであろう。
【００６３】
ある場合には、システムまたは方法の使用は、構成要素が、ある領域外に位置する場合でも、その領域内で生じ得る。例えば、分散型コンピューティングの状況では、分散型コンピューティングシステムの使用は、システムの一部が、ある領域外に位置し得る場合でも（例えば、領域外に位置する、リレー、サーバ、プロセッサ、信号搬送媒体、伝送コンピュータ、受信コンピュータ等）、その領域内で生じ得る。
【００６４】
システムまたは方法の販売も同様に、そのシステムまたは方法の構成要素が、ある領域外に位置する、および／または使用される場合でも、その領域内で生じ得る。さらに、ある領域内である方法を行うためのシステムの少なくとも一部の実装は、別の領域内におけるシステムの使用を除外するものではない。
【００６５】
本明細書に説明される主題の種々の側面が、以下の番号が付与された項目に記載される。
（項目１）
無線ウェアラブルセンサ装置であって、
信号処理タスクを実装するためのコンピューティングエンジンを備える信号処理デバイスを備える、センサプラットフォームであって、そこに連結された少なくとも１つのセンサから信号を受信するように構成される、センサプラットフォームと、
上記センサプラットフォームに連結される無線通信回路であって、無線デバイスと通信し、そこにデータを転送するように構成されるリンクマスタコントローラを備える、無線通信回路と、
を備える、装置。
（項目２）
上記リンクマスタコントローラは、上記無線デバイスと確立された通信リンクを経由したデータ伝送を制御するように構成され、タイミング制御および周波数制御を備える、項目１に記載の無線ウェアラブルセンサ。
（項目３）
上記信号処理デバイスは、ハードコーディングされた信号処理機能を備える、項目１に記載の無線ウェアラブルセンサ装置。
（項目４）
上記信号処理デバイスの少なくとも一部は、最適化された計算のためのプログラマブル信号処理機能および実行ユニットを備える、項目１に記載の無線ウェアラブルセンサ装置。
（項目５）
上記信号処理デバイスは、プロセッサとのインターフェースを備える、項目１に記載の無線ウェアラブルセンサ装置。
（項目６）
上記インターフェースは、
少なくとも１つの先入れ先出し（ＦＩＦＯ）レジスタと、
二重ポートメモリと、
直接、プロセッサメモリにアクセスする、直接メモリアクセス（ＤＭＡ）エンジンと、
を備える、項目５に記載の無線ウェアラブルセンサ装置。
（項目７）
上記インターフェースは、競合認識または回避を備える、項目５に記載の無線ウェアラブルセンサ装置。
（項目８）
上記センサプラットフォームに連結される電子機器インターフェースモジュールをさらに備える、項目１に記載の無線ウェアラブルセンサ装置。
（項目９）
上記センサプラットフォームに連結されるセンサインターフェースと、
上記センサインターフェースに連結されるフレックス回路と、
上記フレックス回路に連結される１つ以上のセンサと、
を備える、項目８に記載の無線ウェアラブルセンサ装置。
（項目１０）
無線ウェアラブルセンサ装置であって、
信号処理タスクを実装するためのコンピューティングエンジンを備える信号処理デバイスを備える、センサプラットフォームであって、そこに連結された少なくとも１つのセンサから信号を受信するように構成される、センサプラットフォームと、
上記センサプラットフォームに連結される無線通信回路であって、リンクを確立し、無線デバイスと通信し、そこにデータを転送するように構成される、リンクマスタコントローラを備える、無線通信回路と、
上記センサプラットフォームに連結される加速度計と、
を備える、装置。
（項目１１）
上記リンクマスタコントローラは、上記無線デバイスと確立された通信リンクを経由したデータ伝送を制御するように構成され、タイミング制御および周波数制御を備える、項目１０に記載の無線ウェアラブルセンサ装置。
（項目１２）
リサンプリング周波数補正プロセッサをさらに備える、項目１０に記載の無線ウェアラブルセンサ装置。
（項目１３）
上記リサンプリング周波数補正プロセッサは、上記加速度計内に提供される、項目１２に記載の無線ウェアラブルセンサ装置。
（項目１４）
上記リサンプリング周波数補正プロセッサは、上記信号処理デバイス内に提供される、項目１２に記載の無線ウェアラブルセンサ装置。
（項目１５）
上記リサンプリング周波数補正プロセッサは、
参照クロックと、
固定アップサンプルブロックと、
デジタルフィルタと、
プログラマブルダウンサンプルブロックと、
加速度計信号および上記参照クロックのタイミングの比較に基づいて、ダウンサンプル係数を選択する、制御回路と、
を備える、項目１２に記載の無線ウェアラブルセンサ装置。
（項目１６）
上記リサンプリング周波数補正プロセッサは、スライディングウィンドウ内において参照クロックと同期し、精密なサンプリングレートを生成するように構成される、項目１２に記載の無線ウェアラブルセンサ装置。
（項目１７）
上記リサンプリング周波数補正プロセッサは、上記加速度計信号からのデータのフレーム毎に、上記ダウンサンプリング係数を設定するように構成される、項目１２に記載の無線ウェアラブルセンサ装置。
（項目１８）
上記リサンプリング周波数補正プロセッサは、加速度計タイミング信号を継続的に追跡し、いかなる累積タイミングエラーも最小限にするように、上記ダウンサンプリング係数を選択するように構成される、項目１２に記載の無線ウェアラブルセンサ装置。
（項目１９）
無線ウェアラブルセンサ装置であって、
センサプラットフォームであって、
信号処理タスクを実装するためのコンピューティングエンジンを備え、センサプラットフォームが、そこに連結された少なくとも１つのセンサから信号を受信するように構成される、信号処理デバイスと、
プロセッサと、
を備える、センサプラットフォームと、
上記センサプラットフォームに連結される無線通信回路であって、リンクを確立し、無線デバイスと通信し、そこにデータを転送するように構成される、リンクマスタコントローラを備える、無線通信回路と、
上記センサプラットフォームに連結されるメモリと、
を備える、装置。
（項目２０）
上記リンクマスタコントローラは、上記無線デバイスと確立された通信リンクを経由したデータ伝送を制御するように構成され、タイミング制御および周波数制御を備える、項目１９に記載の無線ウェアラブルセンサ装置。
（項目２１）
上記プロセッサは、低電力低メモリデータ記憶と、センサデータが、それぞれ、タイプ識別子を伴う記録として記憶される、転送方式とを採用する、項目１９に記載の無線ウェアラブルセンサ装置。
（項目２２）
上記データ記録は、上記無線通信回路によって、上記データ記録を上記メモリ内に記憶するために使用される同一のフォーマットであるフォーマットにおけるパケットペイロードとして、外部デバイスに転送される、項目２１に記載の無線ウェアラブルセンサ装置。
（項目２３）
上記データ記録は、上記メモリ内の空間使用を最適化するための可変長を伴って、上記メモリ内に連続的に記憶される、項目２１に記載の無線ウェアラブルセンサ装置。
（項目２４）
上記メモリ内に記憶された上記データ記録への高速読取アクセスを可能にする、データディレクトリを備える、項目２１に記載の無線ウェアラブルセンサ装置。
（項目２５）
上記データディレクトリは、タイプ別の上記データ記録の高速カウンティングを可能にする、項目２４に記載の無線ウェアラブルセンサ装置。
（項目２６）
上記メモリ内に記憶された各データ記録は、データ記録破損を検出するためのエラー検出コードを備える、項目２１に記載の無線ウェアラブルセンサ装置。
（項目２７）
上記プロセッサは、高信頼保全性データ記憶および転送方式を採用する、項目１９に記載の無線ウェアラブルセンサ装置。
（項目２８）
上記プロセッサが、上記無線通信回路による外部デバイスへのデータパケット転送に先立って、上記メモリからデータ記録を読み取るとき、上記エラー検出コードが、上記プロセッサによってチェックされる、項目２６に記載の無線ウェアラブルセンサ装置。
（項目２９）
上記プロセッサが、上記記憶されたデータ記録の破損を検出すると、エラー信号が、外部デバイスに送信される、項目２１に記載の無線ウェアラブルセンサ装置。
（項目３０）
上記無線通信回路から上記外部デバイスに転送された各パケットは、パケット破損を検出するために上記外部デバイスによって使用されるエラー検出を含有する、項目２８に記載の無線ウェアラブルセンサ装置。
【図１】
0005977456.tif 000002
【図２】
0005977456.tif 000003
【図３】
0005977456.tif 000004
【図４】
0005977456.tif 000005
【図５】
0005977456.tif 000006
【図６】
0005977456.tif 000007
【図７】
0005977456.tif 000008
【図８】
0005977456.tif 000009
【図９】
0005977456.tif 000010
【図１０】
0005977456.tif 000011
【図１１】
0005977456.tif 000012
【図１２】
0005977456.tif 000013
【図１３】
0005977456.tif 000014